(57)【要約】【課題】複数種類の光源、ビデオプロセッサ、スコープを種々組み合わせて用いる内視鏡システムにおいて、光源に関わる情報を一元管理可能とし、作業効率を向上する。【解決手段】スコープ２１０、ストロボ装置２２０をビデオプロセッサ装置１２０に接続し、ビデオプロセッサ装置１２０にファイリング装置１４０、モニタ１５０を接続する。ビデオプロセッサ装置１２０により、ストロボ装置２２０から、同装置の機種名、シリアル番号を取得する。ビデオプロセッサ装置１２０は、ファイリング装置１４０に光源として用いられるストロボ装置２２０の機種名、シリアル番号を通知し、ファイリング装置１４０に保存されている同ストロボ装置２２０に対応するホワイトバランスデータを取得する。取得したホワイトバランスデータに基づき、信号処理部１２５においてホワイトバランス調整を行う。【選択図】図２
2017035376.tif 000002
【特許請求の範囲】
【請求項１】
画像の信号処理を行うビデオプロセッサ装置と、
前記ビデオプロセッサ装置に着脱自在に接続され、複数の光源に対応する光源対応情報を記憶可能な外部装置とを備え、
前記ビデオプロセッサ装置は、前記外部装置から前記光源対応情報を取得し、前記光源対応情報に対応する信号処理を行う
ことを特徴とする内視鏡システム。
【請求項２】
前記外部装置が、検査種類を設定するための入力手段を備え、前記ビデオプロセッサ装置は、設定された検査種類に対応する前記光源対応情報を前記外部装置から取得することを特徴とする請求項１に記載の内視鏡システム。
【請求項３】
前記光源対応情報がホワイトバランス用のパラメータを含み、前記信号処理がホワイトバランス調整処理を含むことを特徴とする請求項１または請求項２に記載の内視鏡システム。
【請求項４】
前記内視鏡システムは、前記ビデオプロセッサ装置から独立した光源装置を備え、前記外部装置は前記光源装置に対する光源対応情報を記録可能であり、前記ビデオプロセッサ装置は前記光源装置の光源に対応する信号処理を行えることを特徴とする請求項１〜３の何れか一項に記載の内視鏡システム。
【請求項５】
前記ビデオプロセッサ装置が１以上の光源を備え、前記信号処理は使用される光源に対応する前記光源対応情報に基づき処理されることを特徴とする請求項１〜４の何れか一項に記載の内視鏡システム。
【請求項６】
前記外部装置は、ファイリング装置であることを特徴とする請求項１〜５の何れか一項に記載の内視鏡システム。
【請求項７】
前記ビデオプロセッサ装置が、設定された検査種類に対応したメッセージを表示することを特徴とする請求項２に記載の内視鏡システム。
【発明の詳細な説明】
【技術分野】
【０００１】
本発明は、複数の光源およびスコープを種々組み合わせて用いることが可能な内視鏡システムに関する。
【背景技術】
【０００２】
複数のランプが搭載される電子内視鏡用ビデオプロセッサにおいて、使用される個々のランプに応じた適正なホワイトバランスを簡単に実行するため、ビデオプロセッサ内にランプに応じたホワイトバランス調整用データを格納するメモリを設けた構成が提案されている（特許文献１参照）。
【先行技術文献】
【特許文献】
【０００３】
【特許文献１】特開２０１１−１１０１０４号公報
【発明の概要】
【発明が解決しようとする課題】
【０００４】
しかし、特許文献１の構成では、同環境で使用されるビデオプロセッサの各々に光源毎のデータを格納するためのメモリを新たに設ける必要があり、例えば既存のシステムへの適用は困難である。また、例えばストロボ撮影を行うときのように、ビデオプロセッサのランプ以外を使用する場合には、同構成を適用してホワイトバランス調整を行うことはできない。
【０００５】
本発明は、複数種類の光源、ビデオプロセッサ、スコープを種々組み合わせて用いる内視鏡システムにおいて、光源に関わる情報を一元管理可能とし、作業効率を向上することを課題としている。
【課題を解決するための手段】
【０００６】
本発明の内視鏡システムは、画像の信号処理を行うビデオプロセッサ装置と、ビデオプロセッサ装置に着脱自在に接続され、複数の光源に対応する光源対応情報を記憶可能な外部装置とを備え、ビデオプロセッサ装置は、外部装置から光源対応情報を取得し、光源対応情報に対応する信号処理を行うことを特徴としている。
【０００７】
外部装置は、検査種類を設定するための入力手段を備え、ビデオプロセッサ装置は、設定された検査種類に対応する光源対応情報を外部装置から取得することが好ましい。光源対応情報はホワイトバランス用のパラメータを含み、信号処理はホワイトバランス調整処理を含む。内視鏡システムは、ビデオプロセッサ装置から独立した光源装置を備え、外部装置はこの光源装置に対する光源対応情報を記録可能であり、ビデオプロセッサ装置はこの光源装置の光源に対応する信号処理を行える。ビデオプロセッサ装置は１以上の光源を備えてもよく、信号処理は使用される光源に対応する光源対応情報に基づき処理される。外部装置は、例えばファイリング装置である。また、ビデオプロセッサ装置は、設定された検査種類に対応したメッセージを表示することが可能である。
【発明の効果】
【０００８】
本発明によれば、複数種類の光源、ビデオプロセッサ、スコープを種々組み合わせて用いる内視鏡システムにおいて、光源に関わる情報を一元管理可能とし、作業効率を向上することができる。
【図面の簡単な説明】
【０００９】
【図１】本発明の一実施形態であるプロセッサ光源を照明に用いた電子内視鏡システムの構成を示すブロック図である。
【図２】本発明の一実施形態であるストロボ光源を照明に用いた電子内視鏡システムの構成を示すブロック図である。
【図３】ファイリング装置起動時にファイリング装置で実行されるタスクのフローチャートである。
【図４】図３のステップＳ１００におけるデータ入力（スケジュール作成時）のフローチャートである。
【図５】ビデオプロセッサ装置において、ファイリング装置との間のデータ通信のために実行されるタスクの流れを示すフローチャートである。
【図６】ファイリング装置において、ビデオプロセッサ装置との間のデータ通信のために実行されるタスクの流れを示すフローチャートである。
【図７】ビデオプロセッサ装置で実行されるホワイトバランス調整作業用タスクのフローチャートである。
【図８】図７のステップＳ５０４、５０６のタスクに対応してストロボ装置で実行されるタスクのフローチャートである。
【図９】図７のステップＳ５０８のタスクに対応してファイリング装置で実行されるタスクのフローチャートである。
【発明を実施するための形態】
【００１０】
以下、本発明の実施の形態を、図面を参照して説明する。図１、２は、本発明の一実施形態である内視鏡システムの構成を示すブロック図である。なお図１は、ビデオプロセッサ装置内の光源を用いて内視鏡観察を行う場合、図２はビデオプロセッサ装置以外の光源を用いて内視鏡観察を行う場合の構成を示す。
【００１１】
図１に示される内視鏡システム１００は、例えば胃や十二指腸などを観察する上部内視鏡を用いたときのシステムの構成を示すものである。内視鏡システム１００は、スコープ１１０と、スコープ１１０に接続されるビデオプロセッサ装置１２０と、ＬＡＮ等のネットワークを介してビデオプロセッサ装置１２０に着脱自在に接続されるファイリング装置１４０と、ビデオプロセッサ装置１２０に接続されるモニタ１５０を備える。スコープ１１０は、ビデオプロセッサ１２０に着脱自在であり、実施される検査種別や処置内容に応じて適切なスコープが装着される。スコープ１１０で撮影された画像は、ビデオプロセッサ装置１２０において処理された後、モニタ１５０に表示され、必要に応じてファイリング装置１４０に各種付加情報とともに記録される。
【００１２】
スコープ１１０は、撮像素子１１１と、アナログ信号処理回路１１２と、駆動回路１１３と、スコープタイミングコントローラ１１４と、スコープＣＰＵ１１５と、スコープメモリ１１６と、ライトガイド１１７と、スコープボタン１１８ａ〜１１８ｃとを備える。
【００１３】
撮像素子１１１は、駆動回路１１３により駆動される。撮像された画像は、アナログ信号処理回路１１２においてデジタル信号に変換され、ビデオプロセッサ装置１２０へ出力される。アナログ信号処理回路１１２および駆動回路１１３は、スコープタイミングコントローラ１１４により、その駆動タイミングが制御され、スコープ１１０全体の動作はスコープＣＰＵ１１５によって制御される。スコープＣＰＵ１１５には、スコープメモリ１１６が接続され、スコープ１１０の機種名、製造番号等、各種の設定情報などが記憶される。
【００１４】
図１のスコープ１１０では、ライトガイド１１７は、ビデオプロセッサ装置１２０に接続される。すなわち、ビデオプロセッサ装置１２０内に設置された光源１２４からの光を照明光として伝送しスコープ先端から観察対象物に照射する。
【００１５】
スコープボタン１１８ａ〜１１８ｃは、ユーザ、すなわち医師により操作されるスイッチであり、各々にスコープ１１０やビデオプロセッサ装置１２０における各種の機能が割り当てられる。スコープボタン１１８ａ〜１１８ｃが操作されると、信号がスコープＣＰＵ１１５に送信され、操作されたスコープボタン１１８ａ〜１１８ｃに割り当てられている機能がスコープ１１０のものであれば、スコープＣＰＵ１１５は、同機能に対応する処理を実行する。また、割り当てられている機能がビデオプロセッサ装置１２０側で行うものである場合には、スコープＣＰＵ１１５はビデオプロセッサ装置１２０に同機能の実行を要求する信号を送信する。また、スコープＣＰＵ１１５は、ビデオプロセッサ装置１２０からデータを受け取り、それに基づき信号処理や各種動作の調整を行うことができる。
【００１６】
スコープボタン１１８ａ〜１１８ｃの１つは、キャプチャ操作に割り当てられる。すなわち、キャプチャ操作に割り当てられたスコープボタンが操作されると、それまでモニタ１５０に表示するための動画像を取得していたスコープ１１０において、静止画用の画像が取得され、ビデオプロセッサ装置１２０を通してファイリング装置１４０へと送られ後述するように、ファイリング装置１４０のメモリに記録される。なお、キャプチャ処理において、静止画像に替えて所定期間の動画像をファイリング装置１４０に記録する構成とすることもできる。
【００１７】
ビデオプロセッサ装置１２０は、プロセッサＣＰＵ１２１、内部記憶部１２２、プロセッサメモリ１２３、光源１２４、信号処理部１２５、プロセッサタイミングコントローラ１２７などを備える。
【００１８】
プロセッサＣＰＵ１２１は、ビデオプロセッサ装置１２０全体の動作を制御するとともに、コネクタを介してスコープＣＰＵ１１５やファイリング装置１４０のファイリングＣＰＵ１４４等に接続され、各ＣＰＵの間でデータ通信が行われる。プロセッサメモリ１２３には、ビデオプロセッサ装置１２０の機種名、製造番号等が記憶される。信号処理部１２５は、スコープ１１０のアナログ信号処理回路１１２から出力された画像データを受け取り、ホワイトバランス調整処理を含む所定の画像処理を施し、処理済み画像をモニタ１５０へ出力する。なお、ビデオプロセッサ装置１２０内の各部品の動作タイミングやスコープ１１０との同期は、プロセッサタイミングコントローラ１２７からの信号に基づいて行われる。
【００１９】
光源１２４は、例えばハロゲンランプ、キセノンランプ、ＬＥＤランプなどであり、光は集光レンズ１２８および絞り１２９を介して、ビデオプロセッサ装置１２０に装着されたライトガイド１１７に入射する。絞り１２９は例えばロータリシャッタから成り、照明光の光量および発光タイミングを調節する。絞り１２９の開度及び駆動のタイミングは、プロセッサＣＰＵ１２１に接続されたモータ１３０により制御される。
【００２０】
また、プロセッサＣＰＵ１２１には、入力手段としてフロントパネル１２６が接続されており、フロントパネル１２６には、複数の操作ボタンが設けられると共に、設定用のメニュやユーザに知らせるべき各種情報を表示するＬＣＤなどの表示部が配置される。ユーザは操作ボタンを操作して内視鏡システム１００を操作でき、また観察対象物に関する情報など必要な情報をビデオプロセッサ装置１２０に入力することができる。
【００２１】
ファイリング装置１４０は、装置本体１４１と、ファイリングモニタ１４２と、ファイリング入力部であるキーボード及びマウス１４３とを備え、ビデオプロセッサ装置１２０に接続される。装置本体１４１には、ファイリングＣＰＵ１４４とファイリング記憶部１４５が設けられ、ファイリングＣＰＵ１４４は、プロセッサＣＰＵ１２１、ファイリング記憶部１４５、ファイリングモニタ１４２、キーボード／マウスなどの入力部１４３に接続される。ファイリング記憶部１４５は、不揮発性のメモリであって、内視鏡観察に関わる各種データや、キャプチャ画像をファイリングして各々記憶する。ここで各種データとは、検査種別に応じたホワイトバランスデータやこれを含むデータベースである。このホワイトバランスデータ（光源対応情報）は、ビデオプロセッサ装置に備えられている光源やストロボ装置の光源部など複数種類の光源に対応している。ファイリングモニタ１４２には、記憶されたこれらのデータの一覧やメニュが表示され、ユーザは入力部１４３を操作して各種データ入力や設定を行う。ファイリング装置１４０には、内視鏡の使用に先立って、ユーザが、検査種別や、患者や診察に関わる各種データを入力する。
【００２２】
ビデオプロセッサ装置１２０は、例えば、気管支鏡、喉頭内視鏡、カプセル内視鏡、大腸内視鏡、上部内視鏡、経鼻内視鏡、及び十二指腸内視鏡等とともに用いられる。これらの内視鏡に対応して、本内視鏡システム１００（２００）は、以下の検査種別が設定可能である。すなわち、気管支鏡は、気管支の内側を観察する気管支鏡検査法（Ｂｒｏｎｃｈｎｏｓｃｏｐｙ、以下ＢＲＯと略記）に用いられ、喉頭内視鏡は、ストロボ観察法に用いられる。カプセル内視鏡は、カプセル内視鏡検査法（Ｃａｐｓｕｌｅ  Ｅｎｄｏｓｃｏｐｙ）に用いられ、大腸内視鏡は、大腸の内側を観察する大腸内視鏡検査法（Ｃｏｌｏｎｏｓｃｏｐｙ）に用いられる。上部内視鏡は、上部消化器官（食道、胃など）の内側を観察する上部内視鏡検査法（Ｕｐｐｅｒ  Ｅｎｄｏｓｃｏｐｙ）に用いられ、経鼻内視鏡は、耳、鼻、及び喉を観察する経鼻内視鏡検査法（Ｅａｒ，Ｎｏｓｅ，ａｎｄ  Ｔｈｒｏａｔ  Ｅｎｄｏｓｃｏｐｙ）に、十二指腸内視鏡は、内視鏡的逆行性胆道膵管造影法（ＥＲＣＰ）に用いられる。
【００２３】
各検査法においては、患部をより的確に医師が把握できるように、信号処理部１２５は検査法に応じて画素強調等の画像処理を行う。また、各内視鏡は、他の内視鏡が用いられるとした検査法にも使用可能である。この場合、信号処理部１２５は観察対象物や検査目的に応じて画素強調等の画像処理を行う。画像処理は、例えばゲイン調整処理、ホワイトバランス調整処理、輪郭強調処理、及び画素強調処理である。ゲイン調整処理は、画像データのゲインを調整して、画像データの信号レベルを観察に適したレベルに調整する処理である。ホワイトバランス調整処理は、画像データのホワイトバランスを調整して色調を整える処理である。輪郭強調処理は、被写体像、例えば患部の輪郭を強調して、患部の範囲を明確にし、これにより患部を観察、発見しやすくする処理である。画素強調処理は、特定の波長の反射光のみを強調する処理であり、これにより特定の波長の反射光を返す患部を見やすくすることができる。
【００２４】
一方、図２に示される内視鏡システム２００では、スコープ１１０に替えてスコープ２１０がビデオプロセッサ装置１２０に装着される。また、光源としてビデオプロセッサ装置１２０以外の光源装置２２０が用いられる。なお、図２において、ビデオプロセッサ装置１２０、ファイリング装置１４０、モニタ１５０の構成は図１と同様である。
【００２５】
図２の内視鏡システム２００において、スコープ２１０は例えば喉頭内視鏡であり、光源装置２２０は、例えばストロボ装置（ストロボ光源装置）である。スコープ２１０のライトガイド２１７は、光源装置２２０に装着され光源装置２２０内の光源部２２１に接続される。光源部２２１は、ストロボＣＰＵ２２２により制御され、例えばマイク２２３から入力される音声周波数に合わせて照明光をライトガイド２１７に供給する。また、ストロボＣＰＵ２２２は、ビデオプロセッサ装置１２０およびストロボ記憶部２２４と接続され、データが送受信される。ストロボ記憶部２２４は、機種名、シリアル番号等を記憶している不揮発性メモリである。
【００２６】
なお、スコープ２１０の、撮像素子２１１、アナログ信号処理回路２１２、駆動回路２１３、タイミングコントローラ２１４、スコープＣＰＵ２１５、メモリ２１６、スコープボタン２１８ａ〜２１８ｃの機能については、スコープ１１０の撮像素子１１１、アナログ信号処理回路１１２、駆動回路１１３、タイミングコントローラ１１４、スコープＣＰＵ１１５、メモリ１１６、スコープボタン１１８ａ〜１１８ｃと同様である。
【００２７】
図３は、検査開始時（ファイリング装置１４０起動時）にファイリング装置１４０で実行されるタスクのフローチャートである。
【００２８】
ファイリング装置１４０が立ち上げられタスクが開始されると、例えば、患者毎に割り当てられたフォルダの選択や、新たな患者に対する新規フォルダ作成が行われる（ステップＳ１００）。その後、設定されている検査種別が例えば気管支鏡検査法（ＢＲＯ）であるか否かが判定される（ステップＳ１０２）。検査種別が気管支鏡検査法（ＢＲＯ）であった場合は、ビデオプロセッサ装置１２０に対して気管支鏡検査法（ＢＲＯ）用のコマンドを送信し（ステップＳ１０４）、本処理は終了する。
【００２９】
設定されている検査種別が気管支鏡検査法（ＢＲＯ）でない場合（ステップＳ１０２）には、検査種別がストロボ観察法であるか否かが判定される（ステップＳ１０６）。検査種別がストロボ観察法であると判定されると、ビデオプロセッサ装置１２０に対してストロボ観察法用のコマンドを送信し（ステップＳ１０８）、本処理は終了する。検査種別がストロボ観察法でないと判定されると（ステップＳ１０６）、以下同様に、ファイリング装置１４０において設定可能な検査種別であるか否かが順次判定される（ステップＳ１１０で代表する）。検査種別が特定されるとその検査種別に対応するコマンドがビデオプロセッサ装置１２０に送信され（ステップＳ１１２で代表する）、本処理は終了する。
【００３０】
なお、本処理終了後、ファイリング装置１４０は、後述するデータ通信処理およびキャプチャ画像待機処理が、例えば割り込み処理により繰り返される。また、検査種別が設定されていない場合には、その旨をユーザに告知し、ステップＳ１００の処理に戻り、検査種別の設定が促される。なお、ビデオプロセッサ装置１２０へ送信されるコマンドには（Ｓ１０４、Ｓ１０８、Ｓ１１２）、後述するように、ビデオプロセッサ装置１２０に対する内視鏡の変更の指示が含まれる。
【００３１】
図４は、ステップＳ１００において行われるデータ入力（スケジュール作成時）のフローチャートである。
【００３２】
図３のステップＳ１００においてスケジュール作成が開始されると、ユーザは、まず検査室、検査日、検査時間等のデータ入力を行い（ステップＳ２００）、続いて検査医の氏名（ステップＳ２０１）の入力、患者情報（患者の氏名、年齢、性別等）の入力が行われる（ステップＳ２０２）。更にユーザは、これから行う検査種別を設定（選択）する（ステップＳ２０３）。そして最後にその他のコメント（ステップＳ２０４）を入力し、ステップＳ１００におけるスケジュール作成は終了する。
【００３３】
図５は、ビデオプロセッサ装置１２０側において、ファイリング装置１４０との間のデータ通信のために実行されるタスクの流れを示すフローチャートである。なお、本処理は、プロセッサＣＰＵ１２１において例えば割り込み処理として定期的に繰り返し実行される。
【００３４】
本処理では、まずファイリング装置１４０からコマンドが受信されたか否かが判定される（ステップＳ３００）。コマンドの受信がない場合は、本処理は終了しビデオプロセッサ装置１２０に必要なその他の処理が行われる。ファイリング装置１４０からコマンドを受信すると、受信したコマンドに応じてビデオプロセッサ装置１２０の設定値が変更され（ステップＳ３０２）、検査種別が「ストロボ観察法」であるか否かが判定される（ステップＳ３０４）。
【００３５】
検査種別が「ストロボ観察法」の場合には、モニタ１５０やフロントパネル１２６の表示器に「光源差込部をストロボ装置に接続してください」等の警告メッセージ（ファイリング装置１４０からのコマンドに含まれる）を表示して、ストロボ光源を用いるようにユーザに促す（ステップＳ３０６）。検査種別が「ストロボ観察法」でない場合は、モニタ１５０やフロントパネル１２６の表示器に「光源差込部をプロセッサに接続してください」等の警告メッセージ（ファイリング装置１４０からのコマンドに含まれる）を表示して、ビデオプロセッサ装置の光源を用いるようにユーザに促す（ステップＳ３０８）。
【００３６】
ステップＳ３０６またはステップＳ３０８の処理が終了すると、スコープ（内視鏡）が接続されているか否かが判定される（ステップＳ３１０）。スコープ（内視鏡）が接続されていない場合には、本処理は終了し例えばスコープを接続するように警告表示する。次に、再度検査種別が「ストロボ観察法」であるか否かが判定され（ステップＳ３１２）、検査種別が「ストロボ観察法」の場合は、接続されているストロボ装置（光源装置）２２０のストロボＣＰＵ２２２へ、機種名およびシリアル番号を求める送信要求を出力し（ステップＳ３１４）、ストロボ装置（光源装置）２２０から同データ（機種名およびシリアル番号）を受信する（ステップＳ３１６）。
【００３７】
プロセッサＣＰＵ１２１は、ストロボ装置（光源装置）２２０から受信した機種名およびシリアル番号に基づき、ファイリング装置１４０に、機種名、シリアル番号、検査種別に対応するストロボ光源用のホワイトバランスデータ（ホワイトバランス用パラメータ）を送信するように要求コマンドを送信し（ステップＳ３１８）、ファイリング装置１４０からホワイトバランスデータを受信したか否かが判定する（ステップＳ３２０）。ホワイトバランスデータが受信されていない場合には、本処理を終了する。一方、ファイリング装置１４０からホワイトバランスデータを受信すると（ステップＳ３２０）、同データに基づき信号処理部１２５においてホワイトバランス用のＲＧＢゲインの調整（ホワイトバランス調整）が行われ（ステップＳ３２２）、本処理は終了する。
【００３８】
一方、ステップＳ３１２において、検査種別が「ストロボ観察法」でないと判定された場合は、ビデオプロセッサ装置１２０自身の機種名、シリアル番号と検査種別をファイリング装置１４０へ送信するとともに、検査種別およびプロセッサ光源１２４に対応するホワイトバランスデータを要求する要求コマンドをファイリング装置１４０に送信する（ステップＳ３２４）。以下、ファイリング装置１４０からホワイトバランスデータを受信したか否かが判定するとともに、データを受信するまで待機し（ステップＳ３２０）、ファイリング装置１４０からホワイトバランスデータを受信すると、同データに基づき信号処理部１２５においてホワイトバランス用のＲＧＢゲイン調整（ホワイトバラス調整）が行われ（ステップＳ３２２）、本処理を終了する。
【００３９】
図６は、図５のビデオプロセッサ装置１２０側のタスクに対応して、ファイリング装置１４０側において、ビデオプロセッサ装置１２０との間のデータ通信のために実行されるタスクの流れを示すフローチャートである。なお、本処理は、プロセッサＣＰＵ１２１において例えば割り込み処理として繰り返し実行される。
【００４０】
ファイリングＣＰＵ１４４では、ビデオプロセッサ装置１２０から、ホワイトバランスデータの送信要求コマンドが受信されたか否かが判定され（ステップＳ４００）、受信していれば、送信されてきたコマンドに含まれるプロセッサの機種名（プロセッサ名）、シリアル番号、および検査種別を参照し、該当するホワイトバランスデータをファイリング記憶部１４５のデータベースから読み出すとともにビデオプロセッサ装置１２０へと送信し（ステップＳ４０２）、本処理は終了する。なお、ビデオプロセッサ装置１２０からホワイトバランス送信要求コマンドが受信されていない場合は、本処理は直ちに終了する。
【００４１】
図７は、ビデオプロセッサ装置１２０で実行されるホワイトバランス調整作業用タスクのフローチャートである。本処理は、例えばユーザが白色ボードを備えた治具を用いて行うものであり、プロセッサＣＰＵ１２１において割り込み処理として繰り返し実行される。
【００４２】
本処理では、例えばフロントパネル１２６に設けられたストロボ光源用のホワイトバランスボタンが操作されたか否かが判定され（ステップＳ５００）、ストロボ光源用ホワイトバランスボタンが操作されたと判定されると、ホワイトバランス調整作業用のフローが実行される（ステップＳ５０２）。すなわち、従来周知のように、ユーザによりスコープの先端が治具内に挿入され、基準となる白色プレートの画像が撮影され、ビデオプロセッサ装置１２０において、同画像が所定のバランス（白色）となるようにＲＧＢゲイン比が調整される。
【００４３】
その後、ストロボ装置２２０に対して、機種名およびシリアル番号を送信するように要求し（ステップＳ５０４）、ストロボ装置２２０から機種名、シリアル番号を受信する（ステップＳ５０６）。受信したストロボ装置２２０の機種名、シリアル番号は、ステップＳ５０２で得られたＲＧＢゲイン比（ホワイトバランスデータ）とともに、ファイリング装置１４０へと送信され（ステップＳ５０８）、本処理は終了する。
【００４４】
一方、ステップＳ５００において、ストロボ光源用ホワイトバランスボタンが操作されていないと判定されると、プロセッサ光源用のホワイトバランスボタンが操作されたか否かが判定される（ステップＳ５１０）。プロセッサ光源用ホワイトバランスボタンが操作されたと判定されるときには、ステップＳ５０２と同様に、ホワイトバランス調整作業用のフローが実行される（ステップＳ５１２）。そして自身の機種名およびシリアル番号と、ステップＳ５１２で得られたホワイトバランスデータをファイリング装置１４０へと送信し（ステップＳ５１４）、本処理は終了する。なお、ステップＳ５１０において、ビデオプロセッサ装置用ホワイトバランスボタンが操作されていないと判定される場合、すなわち、ストロボ光源、プロセッサ光源の何れのホワイトバランスボタンも操作されていない場合には、本処理は直ちに終了する。
【００４５】
図８、ストロボ装置２２０で実行されるタスクのフローチャートであり、図７のステップＳ５０４、５０６のタスクに対応する処理が含まれる。なお、図８に示されるフローは、ストロボＣＰＵ２２２において、例えば割り込み処理として繰り返し実行される。同フローは、ビデオプロセッサ装置１２０から機種名、シリアル番号の送信要求があったか否かを判定する処理（ステップＳ６００）と、送信要求があったときに機種名、シリアル番号をストロボ記憶部２２４から読み出し、ビデオプロセッサ装置１２０へと送信する処理（ステップＳ６０２）から構成される。
【００４６】
次に図９は、図７のステップＳ５０８のタスクに対応する処理を含むファイリング装置１４０で実行されるタスクのフローチャートであり、ファイリングＣＰＵ１４４において、例えば割り込み処理として繰り返し実行される。図９のフローでは、ビデオプロセッサ装置１２０から機種名、シリアル番号、およびこれに対応するホワイトバランスデータを受信したか否かが判定され（ステップＳ７００）、同データを受信した場合には、ファイリング記憶部１４５のデータベースにアクセスして、同機種名、シリアル番号に対応するホワイトバランスデータを更新、あるいは新規に記録する（ステップＳ７０２）。
【００４７】
以上のように、本実施形態の内視鏡システムによれば、プロセッサ光源やストロボ光源などの複数種類の光源と、ビデオプロセッサ、スコープが種々組み合わされる内視鏡システムにおいて、ホワイトバランスデータなど光源に関わる情報を、複数のビデオプロセッサ装置において共用されるファイリング装置で一元的に管理できるので、ビデオプロセッサ装置毎に同情報を記憶させる必要がなく、作業効率が向上する。また、本システムは従来のビデオプロセッサ装置にも簡単に適用できるので、同システムへの入れ替えが容易である。
【００４８】
なお、本実施形態ではファイリング装置に光源に対応する情報を記憶させたが、複数のビデオプロセッサ装置において共用できる外部装置であれば、ファイリング装置に限定されるものではなく、光源に対応する情報を一元管理する専用の外部接続装置を用いることもできる。また、本実施形態は、ビデオプロセッサ装置が複数の光源を備える場合にも適用できる。
【符号の説明】
【００４９】
１００  電子内視鏡システム
１１０、２１０  スコープ（内視鏡）
１１７、２１７  ライトガイド
１２０  ビデオプロセッサ装置
１２１  プロセッサＣＰＵ
１２３  メモリ
１２４  プロセッサ光源
１２５  信号処理部
１２６  フロントパネル
１４０  ファイリング装置
１４４  ファイリングＣＰＵ
１４５  ファイリング記憶部
１５０  モニタ
２２０  ストロボ装置
２２１  光源部
２２２  ストロボＣＰＵ
２２３  マイク
２２４  ストロボ記憶部
【図１】
2017035376.tif 000003
【図２】
2017035376.tif 000004
【図３】
2017035376.tif 000005
【図４】
2017035376.tif 000006
【図５】
2017035376.tif 000007
【図６】
2017035376.tif 000008
【図７】
2017035376.tif 000009
【図８】
2017035376.tif 000010
【図９】
2017035376.tif 000011